(57)【要約】【課題】適切なメッセージが入ったプリントを簡単に作成する。【解決手段】画像処理部で、プリント対象画像に基づきプリント参照画像を作成し、これをパソコン通信によりユーザーに転送する。ユーザーはプリント参照画像に対して、手書きメッセージを入力する。手書きメッセージの入力は、プリント参照画像をプリントしたメッセージ書込み用紙にメッセージを手書きして、これをスキャナにより読み取る。または、ディスプレイに表示されたプリント参照画像に対してマウスやライトペンなどにより手書きメッセージを入力する。入力された手書きメッセージのデータはプリント仕上げ業者に転送される。プリント仕上げ業者は、メッセージの画像位置をプリント参照画像上で特定し、この特定した位置情報に基づきプリント対象画像とメッセージ画像とを合成する。この合成画像をプリントし、メッセージ入りプリントを得る。【選択図】図５
2006106767.tif 000002
【特許請求の範囲】
【請求項１】
プリント対象画像の画像データに基づきプリント参照画像を作成するプリント参照画像作成部と、
前記プリント参照画像に対して手書きメッセージを入力する手書きメッセージ入力部と、
前記プリント参照画像と、前記手書きメッセージが入力されたプリント参照画像とを比較してその差分を抽出し、前記手書きメッセージ及び前記手書きメッセージの記録位置を読み取り、読み取った前記手書きメッセージ及び前記手書きメッセージの記録位置に基づき前記プリント対象画像に前記手書きメッセージを画像合成する画像合成部と、
前記画像合成部からの合成画像データに基づきプリントするプリント部とを備えることを特徴とするメッセージ付きプリント作成システム。
【請求項２】
前記プリント参照画像を受注者から発注者にデータ転送し、前記手書きメッセージ入力部からの手書きメッセージを発注者から受注者にデータ転送するデータ転送部を備えることを特徴とする請求項１記載のメッセージ付きプリント作成システム。
【請求項３】
前記手書きメッセージ入力部は、ディスプレイに前記プリント参照画像を表示し、この表示画像中にマウス及びライトペンのいずれかによりメッセージを入力することを特徴とする請求項１または２記載のメッセージ付きプリント作成システム。
【請求項４】
前記手書きメッセージ入力部は、前記プリント参照画像を印刷するプリント部と、前記プリント部でプリント参照画像が印刷されたメッセージ書込用紙に対し手書きメッセージが記録された前記メッセージ書込用紙を読み取るスキャナとを有することを特徴とする請求項１または２記載のメッセージ付きプリント作成システム。
【請求項５】
前記プリント参照画像は、複数のプリント対象画像に付された枠線マーク及びコマ識別バーコードを備えており、コマ識別バーコードから各プリント対象画像が特定され、前記枠線マークから手書きメッセージの画像位置が特定されることを特徴とする請求項４記載のメッセージ付きプリント作成システム。
【請求項６】
前記プリント参照画像は、主要被写体を指定する主要被写体指定枠を備えており、
前記画像合成部は、前記主要被写体指定枠により指定された主要被写体を最適に仕上げることを特徴とする請求項１ないし５いずれか１項記載のメッセージ付きプリント作成システム。
【発明の詳細な説明】
【技術分野】
【０００１】
本発明は、メッセージを合成するようにしたメッセージ付きプリント作成システムに関するものである。
【背景技術】
【０００２】
写真フイルムに記録された画像を感光材料に焼付露光してプリント写真を作成する場合には、写真フイルムを光源で照明し、この透過光により感光材料に焼付露光する方法と、写真フイルムに記録された画像を撮像し、この撮像データに基づきプリントを行うデジタルプリント方法とがある。
【発明の開示】
【発明が解決しようとする課題】
【０００３】
最近、プリント写真に吹き出しやタイトル等のメッセージを書き込んだり、貼りつけたりすることが行われている。しかし、仕上がったプリント写真にこれらのメッセージを書き込んだり貼りつけたりする場合には手間を要するという問題がある。しかも同一のものを多数作成する場合には対応が困難である。
【０００４】
これに対して、予めタイトル等を写真フイルムの磁気記録層に記録しておき、写真プリントの際にこれらタイトル情報を読み出して、タイトル等を合成してプリントすることも提案されている。しかしながら、この場合には、タイトル等を撮影の際に入力しておく必要があり、撮影された画面にぴったりするタイトルを入力することは困難である。しかも、タイトルの合成位置等を撮影された画面に対応させて入力することは困難である。このため、撮影画像に対応させて適切な位置及び内容のメッセージを入力する場合には、前述したように仕上がったプリント写真を観察しながらこれに手書きで入力する必要があり、手間を要するとともに、同一のものを多数作成する場合には対応が困難である。
【０００５】
本発明は上記課題を解決するためのものであり、予めプリント写真を作成することなく、写真フイルムに手書きの要領でメッセージを簡単に追加することができるようにしたメッセージ付きプリント作成システムを提供することを目的とする。
【課題を解決するための手段】
【０００６】
上記目的を達成するために、本発明のメッセージ付きプリント作成システムは、プリント対象画像の画像データに基づきプリント参照画像を作成するプリント参照画像作成部と、前記プリント参照画像に対して手書きメッセージを入力する手書きメッセージ入力部と、前記プリント参照画像と、前記手書きメッセージが入力されたプリント参照画像とを比較してその差分を抽出し、前記手書きメッセージ及び前記手書きメッセージの記録位置を読み取り、読み取った前記手書きメッセージ及び前記手書きメッセージの記録位置に基づき前記プリント対象画像に前記手書きメッセージを画像合成する画像合成部と、前記画像合成部からの合成画像データに基づきプリントするプリント部とを備えることを特徴とする。また、本発明は、前記プリント参照画像を受注者から発注者にデータ転送し、前記手書きメッセージ入力部からの手書きメッセージを発注者から受注者にデータ転送するデータ転送部を備えることを特徴とする。そして、前記手書きメッセージ入力部は、ディスプレイに前記プリント参照画像を表示し、この表示画像中にマウス及びライトペンのいずれかによりメッセージを入力する。また、前記手書きメッセージ入力部は、前記プリント参照画像を印刷するプリント部と、前記プリント部でプリント参照画像が印刷されたメッセージ書込用紙に対し手書きメッセージが記録された前記メッセージ書込用紙を読み取るスキャナとを有する。前記プリント参照画像は、複数のプリント対象画像に付された枠線マーク及びコマ識別バーコードを備えており、コマ識別バーコードから各プリント対象画像が特定され、前記枠線マークから手書きメッセージの画像位置が特定される。また、前記プリント参照画像は、主要被写体を指定する主要被写体指定枠を備えており、前記画像合成部は、前記主要被写体指定枠により指定された主要被写体を最適に仕上げる。
【発明の効果】
【０００７】
本発明によれば、プリント対象画像の画像データに基づきプリント参照画像を作成するプリント参照画像作成部と、前記プリント参照画像に対して手書きメッセージを入力する手書きメッセージ入力部と、前記プリント参照画像と、前記手書きメッセージが入力されたプリント参照画像とを比較してその差分を抽出し、前記手書きメッセージ及び前記手書きメッセージの記録位置を読み取り、読み取った前記手書きメッセージ及び前記手書きメッセージの記録位置に基づき前記プリント対象画像に前記手書きメッセージを画像合成する画像合成部と、前記画像合成部からの合成画像データに基づきプリントするプリント部とを備えるから、仕上がったプリント写真にメッセージを書き込んだり貼りつけたりする必要がなく、簡単にメッセージ入りプリントが得られる。また、同一のものを多数作成する場合にも簡単に対応することができる。更に、メッセージを書き込むために、予めプリント写真を作成する必要がなくなる。しかも、各コマの画像に合わせたメッセージを入れることができる。
【０００８】
また、本発明によれば、プリント参照画像を発注者にデータ転送し、手書きメッセージ入力部からの手書きメッセージを受注者にデータ転送するから、プリント仕上げ業者等の店頭に出向くことなく、メッセージを簡単にしかも各コマに適合したものを入れることができる。
【発明を実施するための最良の形態】
【０００９】
図１は、本発明を実施したメッセージ付きプリント作成システムを示す概略図である。このメッセージ付きプリント作成システム１０は、受注者であるプリント仕上げ業者側に設けられるフイルムスキャナ１１とデジタルプリンタ１２と、発注者であるユーザー側に設けられるファクシミリ装置（ＦＡＸ）１３とから構成されている。
【００１０】
フイルムスキャナ１１は、フイルムキャリア１５，撮像部１６，入力画像メモリ１７，処理制御部１８，画像処理部２０，作業用画像メモリ２１，各種のデータメモリ２２，ＦＡＸモデム２３から構成されている。
【００１１】
フイルムキャリア１５は、フイルム送りローラ対３０及びモータ３１から構成されている。モータ３１はドライバ３１ａを介して処理制御部１８により回転制御され、写真フイルム３２を撮像ステージ３３に連続送りする。撮像ステージ３３の上方には上記撮像部１６が配置されており、下方には光源部３４が配置されている。光源部３４は、写真フイルム３２の持つ特性に合わせた発光特性を有する蛍光管３５とリフレクタ３６と拡散板３７とから構成されている。
【００１２】
撮像部１６は、レンズ及びライン型イメージエリアセンサから構成されている。この撮像部１６は、フイルム送りに同期して写真フイルム３２の各コマの画像を走査して、赤色，緑色，青色の各色毎に画像データを得る。この画像データは、入力画像メモリ１７に記憶される。
【００１３】
画像処理部２０は、入力画像メモリ１７に書き込まれた画像データから、画像エリアに基づき各コマの画像を抽出する。画像エリアは、各コマエッジの検出処理と、１コマ分のフイルム送り長さとに基づき決定される。また、画像処理部２０は、各コマに対して周知の階調補正や濃度及び色補正処理を行う。また、ネガフイルムの場合にはネガポジ変換を行う。
【００１４】
更に、画像処理部２０は、予め決定されているフォーマットに応じて図２（Ａ）に示すようなプリント参照画像Ｐ１を作成する。このプリント参照画像Ｐ１は、Ａ４サイズに６個の各コマＦを配置するとともに、各コマＦを白黒の中間調画像で表示したものである。このプリント参照画像Ｐ１はユーザー側のＦＡＸ１３により記録紙に熱記録され、これによりメッセージ書込み用紙４０がユーザー側で作成される。メッセージ書込み用紙４０は、写真フイルム３２の撮影枚数に応じて複数枚出力される。例えば、２４枚撮り写真フイルムの場合には４枚になる。
【００１５】
メッセージ書込み用紙４０には、各コマＦの下方に、コマ番号Ｎとコマ識別バーコードＢが配置される。コマ識別バーコードＢは、受付番号と各コマ番号とを合成して作成されている。受付番号は写真フイルム３２の受付時に各フイルム毎に作成され、これにより各ユーザーの写真フイルムが識別される。この受付番号は、バーコードとともにラベル印刷され、このチェックラベルが図示しない受付袋（ＤＰ袋）及び写真フイルム３２に貼られる。また、メッセージ書込み用紙４０の下部にはユーザーＩＤ番号４１及びそのバーコード４２と、受付番号４３及びそのバーコード４４とが記録されている。
【００１６】
画像処理部２０はプリント参照画像Ｐ１の作成の他に、このプリント参照画像Ｐ１に書き込まれた手書きメッセージＭ１〜Ｍ４（図２参照）の内容及び書き込み位置を抽出する。このメッセージＭ１〜Ｍ４の内容及び書き込み位置の抽出は、受信した手書きメッセージ入りプリント参照画像Ｐ２と、送信したメッセージ入りプリント参照画像Ｐ１とを比較してその差分を抽出することにより行われる。この抽出後に、画像処理部２０は、抽出したメッセージ画像に対して合成処理に必要な、周知の解像度適合化、ノイズ除去、スムージング、及び指定された色への色変換等の各種処理を行う。この後に、画像処理部２０は、元の画像データにメッセージ画像データを画像合成する。この合成画像はデジタルプリンタ１２に送られる。
【００１７】
ＦＡＸモデム２３はユーザーのＦＡＸ１３との間で、プリント参照画像Ｐ１，Ｐ２を送受信する。まず、ユーザーのＦＡＸ番号は予め受付処理の際に受付袋に記入されており、写真フイルム３２の各コマをスキャナで読み取る際に、このＦＡＸ番号がキーボード４６から入力される。なお、このような個別入力に代えて、受付処理機でＦＡＸ番号を予め入力しておき、この受付処理機からのデータ転送により、フイルム識別番号に基づきＦＡＸ番号を検索してもよい。
【００１８】
図２に示すように、ユーザーは、ＦＡＸ１３から出力されるメッセージ書込み用紙４０のプリント参照画像Ｐ1 を見て、各コマＦの全体のイメージを把握し、各コマＦに適切なメッセージＭ１〜Ｍ４を手書きしていく。必要なメッセージＭ１〜Ｍ４の手書きを終了すると、このメッセージ書込み用紙４０は、ＦＡＸ１３にセットされ、メッセージ書き込み済みのプリント参照画像Ｐ２がプリント仕上げ業者にＦＡＸ送信される。
【００１９】
処理制御部１８はマイクロコンピュータから構成されており、各部をシーケンス制御して、写真フイルム３２の画像の読み取り、プリント参照画像Ｐ１の作成、プリント参照画像Ｐ１，Ｐ２のＦＡＸ送受信、手書きメッセージＭ１〜Ｍ４の抽出、各コマ画像と手書きメッセージＭ１〜Ｍ４との画像合成、合成画像のプリントなどの各処理をシーケンス制御する。このため、データメモリ２２の他に、キーボード４６、マウス４７、ディスプレイ４８などが処理制御部１８に接続されている。
【００２０】
デジタルプリンタ１２は、合成画像に基づき感光材料を走査露光して、メッセージが合成されたプリントを焼き付ける。この感光材料は熱現像され受像シートにその画像が転写され、メッセージ入りプリント５０が作成される。なお、熱現像転写方式のプリンタの代わりに、ペーパープロセサを備えた銀塩写真方式のプリンタを用いてもよい。更には、インクジェットプリンタ、昇華型熱転写プリンタ、カラー感熱プリンタ等を用いてメッセージ入りプリント５０を作成してもよい。
【００２１】
図３は、メッセージ付きプリントの作成方法を示すフローチャートである。先ず、ユーザーによりプリント仕上げ業者にフイルム現像及びメッセージ付きプリントの注文が行われる。プリント仕上げ業者はユーザー未登録の場合には、各ユーザー毎にユーザー識別コードを付与して、このユーザー識別コード毎に、住所、氏名、電話番号、ＦＡＸ番号等を登録する。このユーザー登録の後に、受付番号が決定され、この受付番号に基づきチェックテープが発行される。このチェックテープには受付番号とこれのバーコードとが記録されている。チェックテープは、受付袋と写真フイルム３２とに貼られ、これらの照合に用いられる。なお、受付番号を用いる他に、ユーザー識別番号に連番号を付したものや、ＤＰ袋に記録されている識別番号を用いてもよい。
【００２２】
撮影済みの写真フイルムは周知のようにフイルムカートリッジから取り出され、フイルムプロセサで現像処理される。現像処理済みの写真フイルム３２は、図１に示すフイルムスキャナ１１にセットされる。フイルムスキャナ１１は、写真フイルム３２をフイルムキャリア１５で連続送りしながら、この送りに同期させて撮像部１６により写真フイルム３２の画像を読み取る。この三色画像データは、各色毎に入力画像メモリ１７に書き込まれる。次に、画像処理部２０は入力画像メモリ１７から三色画像データに基づき各コマの画像を抽出する。そして、各コマの画像データに基づきモノクロの中間調画像を作成するとともに、これら中間調画像を６コマ分嵌め込み合成し、これら６コマの中間調画像を１枚にまとめたＡ４サイズのプリント参照画像Ｐ１を１オーダー分作成する。これらのプリント参照画像Ｐ１はＦＡＸモデム２３によりユーザーのＦＡＸ１３に送られ、メッセージ書込み用紙４０が出力される。
【００２３】
ユーザーは、メッセージ書込み用紙４０のプリント参照画像Ｐ１の各コマＦを観察して、各画像に適合するメッセージＭ１〜Ｍ４を手書きする。手書きしたプリント参照画像Ｐ２は、ＦＡＸ１３によりプリント仕上げ業者に送られる。このメッセージ書き込み済みのプリント参照画像Ｐ２はＦＡＸモデム２３で画像データに直された後に、作業用画像メモリ２１、画像処理部２０に送られる。
【００２４】
画像処理部２０では、ＦＡＸ送信前のプリント参照画像Ｐ１と転送後のメッセージ書き込み済のプリント参照画像Ｐ２とを比較して手書きされたメッセージＭ１〜Ｍ４の画像を抽出する。そして、このメッセージＭ１〜Ｍ４の画像位置をプリント参照画像Ｐ１上で特定し、この特定した位置情報に基づき撮像部１６で読み取ったコマの画像データとメッセージＭ１の画像データとを画像合成する。
【００２５】
合成画像はデジタルプリンタ１２に送られて、手書きメッセージＭ１が画像合成されたメッセージ入りプリント５０が得られる。なお、ディスプレイ４８に手書きメッセージ入りのプリント写真をシミュレート表示して、これを確認した後にプリントするようにしてもよい。
【００２６】
ユーザー側のＦＡＸ１３における受信（ＦＡＸ用紙への画像出力）及び送信（ＦＡＸ用紙からの画像読み出し）処理により、プリント仕上げ業者側での受信画像は劣化する。このため、参照パターン利用方法、濃度範囲限定方法、エッジ画像方法、更にはこれらを組み合わせた方法等の劣化対策を施すとよい。
【００２７】
参照パターン利用方法では、元の画像がどのように劣化するかを参照するために、図４に示すように、プリント参照画像Ｐ３に濃度参照パターン６０を付属させて送受信させる。濃度参照パターン６０は、例えば画像の濃度範囲を、「０」〜「２５５」の２５６階調レベルで表したものを用いる。そして、プリント仕上げ業者側で、受信した画像の濃度参照パターン６０と送信前の濃度参照パターン６０との比較から劣化特性を割り出し、この劣化特性に基づきこの劣化を無くすように補正量を求める。この場合には完全に復元することは不可能であるが、大まかな補正が可能になる。
【００２８】
濃度範囲限定方法では次のような処理を行う。通常、メッセージの書き込みに用いる筆記具はそのインクが黒色であり、且つ高濃度である。そこで、画像部分がユーザー側ＦＡＸの濃度分解能の最大濃度より低いレベル内で表現されるように、送信画像の濃度レベルを抑制する処理を加える。この場合には、ユーザーが受け取る画像は劣化するが、シーンの概略が分かればよいので実用上それほど問題になることはない。そして、メッセージ書き込み部分が最大濃度部分となるため、これを分離することにより簡単に書き込み画像を抽出することができる。
【００２９】
エッジ画像方法では、送信用画像に対してエッジ抽出処理を行い、細線化及び２値化画像に変換する。この場合にも、シーン概略が分かれば撮影者はメッセージ等の入力は行えるので、送信画像を細線化及び２値化してもそれ程問題にはならない。ユーザーから返送されたメッセージ書き込み画像は、シーンのエッジ部分と上書き部分とからなる２値化画像である。これと送信画像との差分を取り、上書き部分を抽出する。この場合に、シーンのエッジ部分と上書き部分とが重なった画素は、上書き部分として抽出することができないので、膨張・伸縮処理することにより、抽出した上書き部分の連続性を回復させる。なお、ユーザー側のＦＡＸ１３の濃度分解能が大きければ、エッジ画像を２値化しなくともよい。
【００３０】
更に、ユーザー側のＦＡＸ１３の濃度分解能に応じて、上記参照パターン利用方法、濃度範囲限定方法、エッジ画像方法等の手法を適宜切り換えて用いてもよい。更には、これらを組み合わせて用いてもよい。例えば、一旦参照パターン方式でユーザー側ＦＡＸ１３の濃度分解能を確認し、これを各ユーザーの住所、氏名、ＦＡＸ番号、ＦＡＸの濃度分解能データ等をデータベースとして記憶しておく。そして、次回からは、データベースからＦＡＸの濃度分解能データを検索し、これに基づき各ＦＡＸに最適な劣化対策を施す。
【００３１】
ユーザー側ＦＡＸ１３の出力形態によって、プリント仕上げ業者側で作成したプリント参照画像サイズ（Ａ４サイズ）と異なるサイズ、例えばＢ４サイズやＢ５サイズで出力される場合には、ユーザー側から送られるメッセージを上書きしたプリント参照画像は元のサイズと異なるサイズでプリント仕上げ業者側に送られることになる。このため、サイズが異なっても、確実に上書き部分を抽出することができるように、コマの照合及び位置合わせを行う。コマの照合は、各コマに付されたバーコードを読み取ることで決定する。位置合わせは、各コマに合成した枠線マークを用いて行う。すなわち、画像の枠範囲を示す枠線マークを各コマに合成してプリントしておき、同一コマの複数の枠線マークの間隔に基づきプリント倍率を求める。そして、送信時のプリント倍率になるように拡大又は縮小処理を行い、サイズを合わせる。
【００３２】
プリント参照画面には注文用書き込み欄を設けてもよい。この注文用書き込み欄は、メッセージプリントの注文の際に指定しなかった場合等に利用される。この注文用書き込み欄には、焼増し注文枠、トリミング指定枠、主要被写体の指定枠等を設ける。焼増し注文枠には、コマ指定、枚数などを記入して焼増し注文をする場合に用いる。トリミング指定枠にはトリミング指定を記入する。この場合には対象コマの画像に対してトリミング指定枠を上書きすることでトリミングプリントを注文する。主要被写体の指定枠には主要被写体の指定を記入する。この場合には、対象コマの画像の主要被写体に対して〇等で主要被写体が特定される。この主要被写体の特定により、プリントの際に指定された主要被写体が最適な仕上がりになるようにプリントされる。
【００３３】
上記実施形態では、ＦＡＸ１３及びＦＡＸモデム２３を用いて、プリント参照画像をユーザー及びプリント仕上げ業者間で電送するようにしたが、この他に、図５に示すように、パソコン通信によりプリント参照画像データを電送してもよい。この場合には、ディスプレイ上にプリント参照画像を表示して、この表示画面中にメッセージを入力する。メッセージは、キーボードからの入力の他に、マウスやライトペン等を用いて手書き文字を入力してもよい。書き込まれたメッセージは、プリント参照画像の各コマの枠線及びバーコードとともに、プリント仕上げ業者側にデータ転送される。したがって、この場合には、プリント仕上げ業者側で、送信分と受信分との差分の画像データからメッセージ部分を抽出する必要がなく、メッセージの受け渡しが簡単になる。
【００３４】
また、キーボードやマウス等を用いてメッセージを入力する代わりに、パソコンのプリンタを用いてプリント仕上げ業者からのプリント参照画像をインクジェットプリンタやサーマルプリンタを用いて印刷し、この印刷したものに対してメッセージを上書きしてもよい。この場合には上書きしたプリント参照画像をパソコンに接続されたスキャナーで読み取って、これをプリント仕上げ業者側にデータ転送する。プリント仕上げ業者側ではＦＡＸの時と同じように、送信したプリント参照画像とメッセージが書き込まれたプリント参照画像との差分データに基づきメッセージ部分を抽出する。
【００３５】
なお、このようにメッセージ部分の抽出を行う代わりに、メッセージ部分のみをプリント仕上げ業者側に送るようにしてもよい。この場合には、各コマを特定するバーコードと枠線のみとを表示して、この枠線内にメッセージを書き込むようにする。また、手書きメッセージをカラーペン等で黒色とは異なる色で書き込み、これをカラースキャナーで読み取った後に、手書き部分を色指定により抽出してもよい。この場合には、抽出した手書き部分と枠線とコマ識別バーコードとをプリント仕上げ業者側に送る。
【００３６】
上記各実施形態では、プリント参照画像をＦＡＸやパソコンを用いて電送したが、この他に、プリント仕上げ業者の店頭に出向いてプリント参照画像に対しメッセージを入力してもよい。この場合には、図６に示すように、ＦＡＸで送信する代わりにこれをプリントし、このプリントに対してメッセージを手書き入力する。また、プリント仕上げ業者に設置されたパソコンを用いて、マウスやライトペン等によりメッセージを入力してもよい。
【００３７】
また、店頭でメッセージを記録する場合には、エッジを抽出した線画からプリント参照画像を構成するとよい。この場合には、予め各コマを縮小して一覧に表示したインデックスプリントを作成しておき、このインデックスプリントを参照しながら、線画からなるプリント参照画像にメッセージを書き込む。
【００３８】
上記実施形態では、プリント参照画像はＡ４サイズに６個のコマを表示したが、プリント参照画像の出力サイズやコマの表示個数はこれに限定されることなく、適宜変更してよい。また、上記実施形態では１３５タイプのフイルムを用いたが、透明磁気記録層を有するＩＸ２４０タイプやその他のフイルムで実施してもよい。ＩＸ２４０タイプのフイルムの場合は、フイルムＩＤ番号が付与されているので、受付の際には受付番号を作成することなく、予め付与されているフイルムＩＤ番号を用いてもよい。また、ＩＸ２４０タイプの場合は、読み取ったメッセージデータを磁気記録層に記録しておくことで、再注文プリント作成時や、フォトプレーヤの再生時に、メッセージ入り画像を再生することができる。
【図面の簡単な説明】
【００３９】
【図１】本発明を実施したメッセージプリントの作成システムを示す概略図である。
【図２】（Ａ）はプリント参照画像の一例を示す平面図であり、（Ｂ）はメッセージが書き込まれたプリント参照画像の一例を示す平面図である。
【図３】メッセージプリントの作成方法を示すフローチャートである。
【図４】他の実施形態におけるプリント参照画像の一例を示す平面図である。
【図５】パソコンを用いたメッセージプリントの作成方法を示すフローチャートである。
【図６】店頭でメッセージを入力するメッセージプリント作成方法を示すフローチャートである。
【符号の説明】
【００４０】
１０  メッセージ付きプリント作成システム
１１  フイルムスキャナ
１２  デジタルプリンタ
１３  ＦＡＸ
１５  フイルムスキャナ
２３  ＦＡＸモデム
３２  写真フイルム
４０  メッセージ書込み用紙
５０  メッセージ付きプリント
Ｐ１，Ｐ３  プリント参照画像
Ｐ２  メッセージ書込み済みプリント参照画像
Ｆ  コマ
Ｂ  コマ識別バーコード
【図１】
2006106767.tif 000003
【図２】
2006106767.tif 000004
【図３】
2006106767.tif 000005
【図４】
2006106767.tif 000006
【図５】
2006106767.tif 000007
【図６】
2006106767.tif 000008